(57)【要約】【課題】稼動率の低下を抑えられる除湿機１を提供する。【解決手段】除湿機１は、圧縮機６ａと、温度センサ１４と、圧縮機駆動部２３と、マイクロコンピュータ２１と、圧縮機負荷低減部２５と、を備える。圧縮機６ａは、運転速度が一定である。温度センサ１４は、圧縮機６ａの温度を圧縮機温度として検出する。圧縮機駆動部２３は、圧縮機６ａの動作を制御する。マイクロコンピュータ２１は、圧縮機６ａを動作させる信号を圧縮機駆動部２３に出力する。圧縮機温度が予め定められた基準温度を超える場合に、圧縮機負荷低減部２５は、圧縮機６ａの負荷を低減させる。【選択図】図３
2019195747.tif 000002
【特許請求の範囲】
【請求項１】
運転速度が一定の圧縮機と、
前記圧縮機の温度を圧縮機温度として検出する温度センサと、
前記圧縮機の動作を制御する圧縮機駆動部と、
前記圧縮機を動作させる信号を前記圧縮機駆動部に出力するマイクロコンピュータと、
前記圧縮機温度が予め定められた基準温度を超える場合に、前記圧縮機の負荷を低減させる圧縮機負荷低減部と、
を備える除湿機。
【請求項２】
風量が可変な送風機
を備え、
前記圧縮機負荷低減部は、前記圧縮機温度が予め定められた低風量運転温度を超える場合に、前記送風機の風量を低下させることによって前記圧縮機の負荷を低減させる送風機駆動部を備える請求項１に記載の除湿機。
【請求項３】
前記圧縮機駆動部は、前記送風機駆動部が予め定められた時間、予め定められた最低風量で前記送風機を運転させた後に前記圧縮機温度が前記低風量運転温度を超えている場合に、前記圧縮機を停止させる請求項２に記載の除湿機。
【請求項４】
前記圧縮機負荷低減部は、前記圧縮機温度が予め定められた停止温度を超える場合に、前記マイクロコンピュータが前記圧縮機駆動部に出力する信号を遮断し、前記圧縮機を停止させることによって前記圧縮機の負荷を低減させる異常温度検知回路を備える請求項１から請求項３のいずれか一項に記載の除湿機。
【請求項５】
前記圧縮機駆動部は、
前記圧縮機に電力を供給する回路を開閉するノーマルオープンのリレーと、
前記リレーの入力端子に接続するトランジスタと、
を備え、
前記マイクロコンピュータは、前記圧縮機を動作させる信号として前記トランジスタに前記リレーを閉にする信号を出力し、
前記異常温度検知回路は、前記圧縮機温度が前記停止温度を超える場合に、前記トランジスタに前記リレーを開にする信号を出力することで前記圧縮機を停止させる請求項４に記載の除湿機。
【請求項６】
前記圧縮機駆動部は、
前記圧縮機に電力を供給する回路を開閉するノーマルオープンのリレーと、
前記リレーの入力端子に接続する第１トランジスタと、
前記リレーの入力端子に接続する第２トランジスタと、
を備え、
前記リレーの入力端子、前記第１トランジスタおよび前記第２トランジスタは直列に接続され、
前記マイクロコンピュータは、前記圧縮機を動作させる信号として前記第１トランジスタに前記リレーを閉にする信号を出力し、
前記異常温度検知回路は、前記圧縮機温度が前記停止温度を超える場合に、前記第２トランジスタに前記リレーを開にする信号を出力することで前記圧縮機を停止させる請求項４に記載の除湿機。
【請求項７】
前記温度センサは、温度に応じて抵抗値が変化する素子を備え、
前記異常温度検知回路は、前記素子の抵抗値の変化により変動する電圧と、分圧抵抗によって生成された電圧と、を比較するコンパレータを備える請求項４から請求項６のいずれか一項に記載の除湿機。
【請求項８】
前記素子は、前記コンパレータの反転入力端子に接続される請求項７に記載の除湿機。
【請求項９】
前記圧縮機に電力を供給する回路の電流を検知する電流センサと、
前記電流センサが電流を検知せず、かつ、前記圧縮機温度が前記停止温度を超えている場合に、前記圧縮機の過熱異常を表す内容を表示する表示部と、
を備える請求項４から請求項８のいずれか一項に記載の除湿機。
【請求項１０】
前記圧縮機に電力を供給する回路の電流を検知する電流センサ
を備え、
前記圧縮機駆動部は、前記電流センサに検知される電流が予め定められた電流値より大きい状態が予め定められた時間継続する場合に、前記圧縮機を停止させる請求項１から請求項８のいずれか一項に記載の除湿機。
【発明の詳細な説明】
【技術分野】
【０００１】
本発明は、除湿機に関する。
【背景技術】
【０００２】
特許文献１には、圧縮機用のモータの例が記載されている。モータの温度が異常に上昇する場合に、モータは、電力を供給する接続部の導電材料が溶けることによって停止する。
【先行技術文献】
【特許文献】
【０００３】
【特許文献１】特開２００１−２６３２３８号公報
【発明の概要】
【発明が解決しようとする課題】
【０００４】
しかしながら、特許文献１に記載の圧縮機用のモータは、接続部の不可逆な変化によって電力の供給が遮断される。このため、当該モータを除湿機に適用する場合に、モータの温度が異常に上昇した後は、接続部を交換するまで除湿機は運転できない。これにより、除湿機の稼動率は、低下しうる。
【０００５】
本発明は、このような課題を解決するためになされた。本発明の目的は、稼動率の低下を抑えられる除湿機を提供することである。
【課題を解決するための手段】
【０００６】
本発明に係る除湿機は、運転速度が一定の圧縮機と、圧縮機の温度を圧縮機温度として検出する温度センサと、圧縮機の動作を制御する圧縮機駆動部と、圧縮機を動作させる信号を圧縮機駆動部に出力するマイクロコンピュータと、圧縮機温度が予め定められた基準温度を超える場合に、圧縮機の負荷を低減させる圧縮機負荷低減部と、を備える。
【発明の効果】
【０００７】
本発明によれば、除湿機は、温度センサと、マイクロコンピュータと、圧縮機負荷低減部と、を備える。運転速度が一定の圧縮機の動作は、マイクロコンピュータから圧縮機駆動部に出力される信号によって制御される。圧縮機負荷低減部は、圧縮機温度が予め定められた基準温度を超える場合に、圧縮機の負荷を低減させる。圧縮機温度は、温度センサが検知する圧縮機の温度である。これにより、不可逆な変化によらずに圧縮機の過熱が確実に防がれる。したがって、除湿機の稼動率の低下が抑えられる。
【図面の簡単な説明】
【０００８】
【図１】実施の形態１に係る除湿機の分解斜視図である。
【図２】実施の形態１に係る除湿機の断面図である。
【図３】実施の形態１に係る除湿機の機能ブロック図である。
【図４】実施の形態１に係る異常温度検知回路の例を表す回路図である。
【図５】実施の形態１に係る除湿機の構成の例を表す回路図である。
【図６】実施の形態１に係るマイクロコンピュータの動作の例を示すフローチャートである。
【図７】実施の形態１に係るマイクロコンピュータの動作の例を示すフローチャートである。
【図８】実施の形態１の変形例に係る除湿機の構成の例を表す回路図である。
【図９】実施の形態２に係る除湿機の構成の例を表す回路図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係る除湿機の分解斜視図である。
図１において、紙面に矢印で示す方向が、除湿機１の前方である。
【００１１】
除湿機１は、例えば可搬型の除湿機である。除湿機１は、中央筐体２と、前方筐体３と、後方筐体４と、送風機５と、除湿装置６と、湿度センサ７と、吐出口ルーバ駆動モータ８と、表示操作パネル９と、貯水タンク１０と、制御装置１１と、を備える。
【００１２】
中央筐体２は、除湿機１の前後方向における中央部に設けられる。中央筐体２は、自立可能である。中央筐体２は、吐出口１２を有する。吐出口１２は、除湿機１によって除湿された空気が吐き出される開口である。吐出口１２は、例えば、中央筐体２の上部に設けられる。中央筐体２は、図示されないルーバを備える。ルーバは、吐出口１２に設けられる。空気が吐出口１２から吐き出される向きは、ルーバによって変えられる。
【００１３】
前方筐体３は、除湿機１の前後方向における前方側に設けられる。前方筐体３は、中央筐体２に対して着脱可能に設けられる。
【００１４】
後方筐体４は、除湿機１の前後方向における後方側に設けられる。後方筐体４は、中央筐体２に対して着脱可能に設けられる。後方筐体４は、吸込口１３を有する。吸込口１３は、除湿機１によって除湿される空気が吸い込まれる開口である。吸込口１３は、例えば、後方筐体４の背面の上部に設けられる。
【００１５】
送風機５は、例えば、中央筐体２の前方側に設けられる。送風機５は、例えば中央筐体２の中央部の前面に設けられる。送風機５は、例えば、送風ファンと、モータと、を備える。送風機５のモータの回転軸は、例えば、水平方向に向けられる。送風機５のモータの回転軸は、例えば、除湿機１の前後方向に平行に向けられる。モータは、例えば運転速度が可変の交流モータである。
【００１６】
除湿装置６は、例えば、中央筐体２の後方側に設けられる。
【００１７】
湿度センサ７は、例えば中央筐体２の下部の左右方向における側面の一方に設けられる。湿度センサ７は、空気中の湿度を測定しうるように構成される。
【００１８】
吐出口ルーバ駆動モータ８は、例えば中央筐体２の上部に設けられる。吐出口ルーバ駆動モータ８は、吐出口１２に設けられるルーバの向きを変えうるように構成される。
【００１９】
表示操作パネル９は、例えば、前方筐体３の上部に設けられる。表示操作パネル９は、利用者による操作を受け付けうるように構成される。
【００２０】
貯水タンク１０は、例えば、前方筐体３の下部に設けられる。前方筐体３が中央筐体２に取り付けられている状態において、貯水タンク１０は、除湿機１の前方側から着脱可能に設けられる。
【００２１】
制御装置１１は、例えば、中央筐体２の前方側に設けられる。
【００２２】
図２は、実施の形態１に係る除湿機の断面図である。
図２において、紙面左側が除湿機１の前方である。
【００２３】
除湿機１の除湿装置６は、圧縮機６ａと、凝縮器６ｂと、減圧装置６ｃと、蒸発器６ｄと、を備える。
【００２４】
圧縮機６ａは、例えば、モータを備える。圧縮機６ａのモータは、一定速度で回転しうるように構成される。すなわち、圧縮機６ａの運転速度は一定である。圧縮機６ａのモータは、例えば単相のインダクションモータである。
【００２５】
除湿機１の運転において、表示操作パネル９は、利用者による操作を受け付ける。制御装置１１は、表示操作パネル９が受け付けた操作および湿度センサ７が検出した湿度に基づいて、送風機５の動作を制御する。送風機５のモータは、制御装置１１の制御に応じた運転速度で回転する。圧縮機６ａのモータは、制御装置１１の制御によって一定速度で回転する。圧縮機６ａは、モータの駆動力によって冷媒を圧縮する。凝縮器６ｂは、圧縮機６ａが圧縮した冷媒を冷却する。減圧装置６ｃは、凝縮器６ｂが冷却した冷媒を減圧する。
【００２６】
室内の空気Ａは、送風機５の送風ファンによって、吸込口１３から水平方向に沿って除湿機１の内部に吸い込まれる。除湿機１の内部に吸い込まれた空気は、凝縮器６ｂおよび蒸発器６ｄを通過する。蒸発器６ｄは、減圧装置６ｃが減圧した冷媒への吸熱を行うことで、通過する空気に含まれる水分を除去する。すなわち、蒸発器６ｄを通過する空気は除湿される。送風機５は、吐出口１２から上方に向けて除湿された空気Ｂを室内へ吐き出す。蒸発器６ｄによって空気から除去された水分は、貯水タンク１０に貯められる。
【００２７】
続いて、図３を用いて、実施の形態１に係る除湿機１の機能を説明する。
図３は、実施の形態１に係る除湿機の機能ブロック図である。
【００２８】
除湿機１は、温度センサ１４と、電流センサ１５と、を備える。
【００２９】
温度センサ１４は、例えば、圧縮機６ａの外郭に設けられる。温度センサ１４は、圧縮機温度を検出する。圧縮機温度は、圧縮機６ａの温度である。温度センサ１４は、例えばＮＴＣ（Ｎｅｇａｔｉｖｅ  Ｔｅｍｐｅｒａｔｕｒｅ  Ｃｏｅｆｆｉｃｉｅｎｔ）サーミスタを備える。ＮＴＣサーミスタは、温度が高くなると抵抗値が低下する特性を有する。ＮＴＣサーミスタは、温度に応じて抵抗値が変化する素子の例である。
【００３０】
電流センサ１５は、圧縮機６ａのモータに電力を供給する配線の電流を検知しうるように構成される。電流センサ１５は、例えば交流の電力を供給する配線の周りに配置されるカレントトランスを含む。
【００３１】
表示操作パネル９は、信号配線１６および電源配線１７によって、制御装置１１に接続される。信号配線１６は、表示操作パネル９に入出力の信号を伝達する。電源配線１７は、表示操作パネル９に給電する。表示操作パネル９は、表示部１８と、操作部１９と、を備える。
【００３２】
表示部１８は、例えば除湿機１の運転状態を表す視覚情報を利用者に表示する。表示部１８は、例えば発光ダイオードまたは液晶パネルなどで形成される。
【００３３】
操作部１９は、利用者による操作を受け付ける。操作部１９は、例えば表示部１８の周囲に設けられたボタン等の機械スイッチで構成される。あるいは、操作部１９は、例えば表示部１８の少なくとも一部がタッチパネルで形成されることで実現される。操作部１９は、運転スイッチ２０を有する。運転スイッチ２０は、ＯＮまたはＯＦＦを切り替える操作を受け付ける。
【００３４】
制御装置１１は、マイクロコンピュータ２１と、電源回路２２と、圧縮機駆動部２３と、ルーバ駆動部２４と、圧縮機負荷低減部２５と、を備える。
【００３５】
マイクロコンピュータ２１は、測定される湿度の値を取得しうるように、湿度センサ７に接続される。マイクロコンピュータ２１は、表示する情報を表す信号を出力しうるように、表示部１８に接続される。マイクロコンピュータ２１は、入力される操作を表す信号を取得しうるように、操作部１９に接続される。
【００３６】
マイクロコンピュータ２１のＡＤ変換（Ａｎａｌｏｇ／Ｄｉｇｉｔａｌ変換）入力ピンは、湿度センサ７、温度センサ１４および電流センサ１５の各々に電気的に接続される。ＡＤ変換入力ピンは、ハイインピーダンスの状態である。湿度センサ７、温度センサ１４および電流センサ１５の各々の出力は、マイクロコンピュータ２１の内部で、電圧のアナログ信号から湿度、温度および電流の各々の値に変換され、制御情報として処理される。
【００３７】
電源回路２２は、電源プラグ２６を介して交流の電源２７から給電を受ける。電源回路２２は、除湿機１の制御に必要な直流の内部電源を生成する。
【００３８】
圧縮機駆動部２３は、圧縮機６ａの動作を制御する駆動回路である。圧縮機６ａの動作の制御は、圧縮機６ａの起動および停止を含む。圧縮機駆動部２３は、圧縮機６ａと電気的に接続される。マイクロコンピュータ２１は、操作部１９が受け付けた操作および湿度センサ７が検出した湿度に基づいて、圧縮機駆動部２３に圧縮機６ａの動作を制御するための信号を出力する。圧縮機駆動部２３は、マイクロコンピュータ２１から出力される信号に基づいて圧縮機６ａの動作を制御する。
【００３９】
ルーバ駆動部２４は、吐出口ルーバ駆動モータ８の動作を制御する駆動回路である。吐出口ルーバ駆動モータ８の動作の制御は、吐出口１２に設けられるルーバの傾きの制御を含む。ルーバ駆動部２４は、吐出口ルーバ駆動モータ８と電気的に接続される。マイクロコンピュータ２１は、操作部１９が受け付けた操作に基づいて、ルーバ駆動部２４に吐出口ルーバ駆動モータ８の動作を制御するための信号を出力する。ルーバ駆動部２４は、マイクロコンピュータ２１から出力される信号に基づいて吐出口ルーバ駆動モータ８の動作を制御する。
【００４０】
圧縮機負荷低減部２５は、送風機駆動部２８と、異常温度検知回路２９と、を備える。圧縮機負荷低減部２５は、圧縮機温度が基準温度を超える場合に圧縮機６ａの負荷を低減させる信号を出力しうるように構成される。基準温度は、圧縮機負荷低減部の動作の１つ以上の基準として予め定められた温度である。
【００４１】
送風機駆動部２８は、送風機５の動作を制御する駆動回路である。送風機５の動作の制御は、送風機５の起動、停止および送風量の調整を含む。送風機駆動部２８は、送風機５と電気的に接続される。マイクロコンピュータ２１は、操作部１９が受け付けた操作に基づいて、送風機駆動部２８に送風機５の動作を制御するための信号を出力する。送風機駆動部２８は、マイクロコンピュータ２１から出力される信号に基づいて送風機５の動作を制御する。
【００４２】
異常温度検知回路２９は、圧縮機温度を表す信号を取得しうるように、温度センサ１４に電気的に接続される。異常温度検知回路２９は、圧縮機温度を停止温度と比較するアナログ回路である。停止温度は、予め定められた圧縮機６ａを停止する温度である。異常温度検知回路２９は、出力端子を有する。異常温度検知回路２９は、出力端子に温度を比較した結果を表す信号を出力する。出力端子は、マイクロコンピュータ２１および圧縮機駆動部２３に電気的に接続される。異常温度検知回路２９は、マイクロコンピュータ２１の処理と独立に温度を比較する。圧縮機温度が停止温度を超える場合に、異常温度検知回路２９は、マイクロコンピュータ２１から圧縮機駆動部２３に出力される信号を遮断する信号を出力端子に出力する。異常温度検知回路２９は、比較部３０および変換部３１を備える。
【００４３】
比較部３０は、温度センサ１４の出力から取得する圧縮機温度の値を、停止温度の値と比較する。
【００４４】
変換部３１は、比較部３０が出力する比較の結果を表す信号を、マイクロコンピュータ２１から圧縮機駆動部２３に出力される信号を遮断することができる出力形式の信号に変換する。
【００４５】
停止温度は、例えば圧縮機６ａのモータの巻線が限界温度に近づいたときのモータの外郭温度に基づいて設定される。より具体的には、例えばモータの巻線が限界温度である１９０℃に近づいたときのモータの外郭温度が１２０℃である場合に、停止温度は、１０℃の余裕を持って１１０℃に設定される。停止温度は、基準温度の例である。
【００４６】
圧縮機６ａ、送風機５および吐出口ルーバ駆動モータ８の各々は、除湿機１のアクチュエータである。圧縮機駆動部２３、ルーバ駆動部２４および送風機駆動部２８の各々は、アクチュエータ駆動部である。アクチュエータ駆動部は、アクチュエータの動作を制御する駆動回路である。
【００４７】
マイクロコンピュータ２１の各機能は、処理回路により実現されてもよい。マイクロコンピュータ２１の処理回路は、少なくとも１つのプロセッサ２１ａと少なくとも１つのメモリ２１ｂとを備える。処理回路が少なくとも１つのプロセッサ２１ａと少なくとも１つのメモリ２１ｂとを備える場合、マイクロコンピュータ２１の各機能は、ソフトウェア、ファームウェア、またはソフトウェアとファームウェアとの組み合わせにより実現されてもよい。ソフトウェアおよびファームウェアの少なくとも一方は、プログラムとして記述されてもよい。ソフトウェアおよびファームウェアの少なくとも一方は、少なくとも１つのメモリ２１ｂに格納されてもよい。少なくとも１つのプロセッサ２１ａは、少なくとも１つのメモリ２１ｂに記憶されたプログラムを読み出して実行することにより、マイクロコンピュータ２１の各機能を実現してもよい。少なくとも１つのメモリ２１ｂは、不揮発性または揮発性の半導体メモリ、磁気ディスク等を含んでもよい。
【００４８】
マイクロコンピュータ２１の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。
【００４９】
マイクロコンピュータ２１の各部の機能がそれぞれ処理回路で実現されてもよい。また、マイクロコンピュータ２１の各部の機能がまとめて処理回路で実現されてもよい。マイクロコンピュータ２１の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、マイクロコンピュータ２１の各機能を実現しても良い。
【００５０】
続いて、図４を用いて、実施の形態１に係る異常温度検知回路２９の回路の構成を説明する。
図４は、実施の形態１に係る異常温度検知回路の例を表す回路図である。
【００５１】
異常温度検知回路２９は、例えば、出力がオープンコレクタ構造のコンパレータＩＣ（Ｉｎｔｅｇｒａｔｅｄ  Ｃｉｒｃｕｉｔ）を備える。
【００５２】
比較部３０は、第１コンパレータ３２および第２コンパレータ３３を備える。ａ点は、第１コンパレータ３２の反転入力（−）である。ｂ点は、第１コンパレータ３２の非反転入力（＋）である。ｃ点は、第１コンパレータ３２の出力である。抵抗Ｒ７１４および温度センサ１４によって生成される分圧電圧は、ａ点に入力される。ａ点の電圧は、温度センサ１４の温度によって変化する抵抗値に応じて変動する。抵抗Ｒ７１６、抵抗Ｒ７１７、抵抗Ｒ７１８、抵抗Ｒ７１９、抵抗Ｒ７２０および抵抗Ｒ７２１によって生成される分圧電圧は、ｂ点に入力される。
【００５３】
圧縮機温度が停止温度より低い場合に、温度センサ１４の抵抗値は大きい。このとき、反転入力（−）であるａ点の電圧は、非反転入力（＋）であるｂ点の電圧より高い。これにより、第１コンパレータ３２の出力であるｃ点の電圧は、Ｌレベルになる。
【００５４】
一方、圧縮機温度が停止温度を超える場合に、温度センサ１４の抵抗値は小さくなる。このとき、反転入力（−）であるａ点の電圧は、非反転入力（＋）であるｂ点の電圧より低くなる。これにより、第１コンパレータ３２の出力であるｃ点の電圧は、ＬレベルからＨレベルになる。第１コンパレータ３２の出力がＨレベルのときのｃ点の電圧は、抵抗Ｒ７１６、抵抗Ｒ７１７、抵抗Ｒ７１８、抵抗Ｒ７１９、抵抗Ｒ７２０および抵抗Ｒ７２１によって生成される分圧電圧である。
【００５５】
第１コンパレータ３２は、圧縮機温度が停止温度に達するときのチャタリングを回避しうるように、ディファレンシャルを有する。ディファレンシャルは、ヒステリシスの幅である。ａ点の電圧がｂ点の電圧よりも低くなると、出力のオープンコレクタがオンの状態からオープンの状態になるため、ｃ点の電圧が高くなる。このとき、ｂ点から抵抗Ｒ７１９を経由してｃ点に流れていた電流の方向が反転する。ｃ点からｂ点へ電流が流れるようになることで、ｂ点の電圧も高くなる。これによりｂ点とａ点との電圧の差が大きくなるため、閾値近傍でのｃ点の出力のチャタリングが防止される。ディファレンシャルは、例えば５℃程度の温度差に相当する電圧の差に設定される。
【００５６】
第１コンパレータ３２の出力は、第２コンパレータ３３の反転入力（−）に入力される。このため、第２コンパレータ３３の出力は、第１コンパレータ３２の出力の状態と逆の状態になる。第２コンパレータ３３の出力は、変換部３１に入力される。変換部３１は、入力される信号の出力形式を変換して出力する。
【００５７】
続いて、図５を用いて、実施の形態１に係る除湿機１の回路の構成を説明する。
図５は、実施の形態１に係る除湿機の構成の例を表す回路図である。
【００５８】
送風機駆動部２８は、マイクロコンピュータ２１からシリアル信号などによって、速度制御情報を取得する。送風機駆動部２８は、取得する速度制御情報に基づいて送風機５の送風量の調整を含む制御を行う。送風機駆動部２８は、例えばインバータ駆動回路である。
【００５９】
圧縮機駆動部２３は、リレーＸ１と、トランジスタＱ１と、を備える。リレーＸ１は、ノーマルオープンである。リレーＸ１は、圧縮機６ａに電源２７から電力を供給する回路を開閉しうるように構成される。トランジスタＱ１は、例えば抵抗内蔵型のＮＰＮトランジスタである。トランジスタＱ１のコレクタは、リレーＸ１の操作コイルに接続される。操作コイルは、入力端子の例である。トランジスタＱ１のベースは、異常温度検知回路２９の出力端子およびマイクロコンピュータ２１の出力ピンＰ２に接続される。
【００６０】
電流センサ１５のカレントトランスは、抵抗Ｒ１、ダイオードＤ１、コンデンサＣ１および抵抗Ｒ３に接続される。抵抗Ｒ３は、コンデンサＣ１の電荷を放電するために接続される。抵抗Ｒ３の抵抗値は、例えば数十ｋΩである。
【００６１】
マイクロコンピュータ２１は、リセット回路に接続される。リセット回路は、抵抗Ｒ１３、コンデンサＣ６およびダイオードＤ１０で構成される。
【００６２】
この例において、異常温度検知回路２９の変換部３１は、入力される信号をそのまま出力させうるように構成される。すなわち、異常温度検知回路２９の出力端子は、図４の第２コンパレータ３３の出力であるオープンコレクタ出力に直接接続される。
【００６３】
続いて、実施の形態１に係る除湿機１の動作を説明する。
【００６４】
マイクロコンピュータ２１のリセット入力がＬレベルのときに、マイクロコンピュータ２１のプログラムは停止状態となる。このとき、マイクロコンピュータ２１のピンＰ１およびピンＰ２の各々は、出力モードから入力モードとなる。これにより、マイクロコンピュータ２１から外部への信号の出力がなくなる。このとき、送風機５および圧縮機６ａの各々は動作しない。
【００６５】
マイクロコンピュータ２１は、予め定められた時間ごとの割り込み処理によって温度センサ１４、湿度センサ７および電流センサ１５などのセンサからの信号を取得する。マイクロコンピュータ２１は、取得した信号が表す値を平均化処理した後に、例えばメモリ２１ｂに含まれるＲＡＭ（Ｒａｎｄｏｍ  Ａｃｃｅｓｓ  Ｍｅｍｏｒｙ）に、対応するセンサによる測定値として記憶する。これにより、マイクロコンピュータ２１は、随時更新されるセンサによる測定値を参照する。
【００６６】
運転スイッチ２０によってＯＮの操作が受け付けられたときに、除湿機１は、運転を開始する。ここで、運転スイッチ２０が例えば押しボタンスイッチである場合に、押しボタンスイッチの操作によって生じるチャタリングは、マイクロコンピュータ２１によって処理される。例えば、除湿機１が停止しているときに、０．１秒から０．３秒程度の間に連続してＯＮの操作が検知される場合に、マイクロコンピュータ２１は、一度のＯＮの操作が受け付けられたと判定する。一方、除湿機１が運転しているときに、０．１秒から０．３秒程度の間に連続してＯＦＦの操作が検知される場合に、マイクロコンピュータ２１は、一度のＯＦＦの操作が受け付けられたと判定する。
【００６７】
運転スイッチ２０がＯＮであり、かつ、湿度センサ７による測定値が、予め定められた湿度の値より高い場合に、除湿機１は、除湿の動作を開始する。除湿機１は、除湿の動作を開始してから予め定められた時間冷媒を安定させる。除湿機１は、冷媒を安定させた後に、圧縮機６ａの動作を開始する。除湿機１が冷媒を安定させる時間は、例えば３分間である。除湿機１が冷媒を安定させる時間は、起動停止タイマによって測定される。起動停止タイマは、例えばマイクロコンピュータ２１によってカウントされる。起動停止タイマは、除湿機１が冷媒を安定させる時間が経過したときにカウントを停止する。マイクロコンピュータ２１は、起動停止タイマによって３分間計測した後に、圧縮機６ａを動作させる信号としてピンＰ２にＨレベルの信号を出力する。
【００６８】
マイクロコンピュータ２１のピンＰ２の出力がＨレベルのときに、抵抗Ｒ２を介してトランジスタＱ１のベースに信号が入力される。このとき、トランジスタＱ１がＯＮ状態になることで、リレーＸ１の操作コイルが通電される。リレーＸ１は、圧縮機６ａに電源２７から電力を供給する回路の接点を閉じる。これにより、圧縮機６ａは、一定速で運転する。
【００６９】
電流センサ１５のカレントトランスの出力電圧は、抵抗Ｒ１の両端に印加される。ダイオードＤ１は、出力電圧の正極のみを通過させる。コンデンサＣ１は、ダイオードＤ１を通過した出力電圧を平滑化する。平滑化された出力電圧は、監視される電流の大きさに応じた高さの電圧として、マイクロコンピュータ２１のＡＤ変換ピンＡＤＩＮ２に入力される。マイクロコンピュータ２１は、入力される電圧値に基づいて圧縮機６ａの電流の大きさを監視する。
【００７０】
温度センサ１４に検出される圧縮機温度が停止温度を超えるときに、異常温度検知回路２９は出力端子に出力する信号をＬレベルに反転させる。これにより、マイクロコンピュータ２１のピンＰ２の出力状態にかかわらず、抵抗Ｒ２とトランジスタＱ１のベースの接点に印加される電圧は、Ｌレベルとなる。このとき、トランジスタＱ１がＯＦＦ状態になることで、リレーＸ１の操作コイルが不通電になる。リレーＸ１は、圧縮機６ａに電源２７から電力を供給する回路の接点を開く。これにより、マイクロコンピュータ２１から圧縮機駆動部２３に出力される信号が遮断されることで、圧縮機６ａは、停止する。
【００７１】
温度センサ１４に検出される圧縮機温度が低風量運転温度を超えるときに、マイクロコンピュータ２１は、送風機５の風量を低下させる。低風量運転温度は、圧縮機６ａの負荷を低減させる処理を実施する基準として予め定められる温度である。低風量運転温度は、停止温度より低く設定される。より具体的には、例えば停止温度が１１０℃である場合に、低風量運転温度は９０℃に設定される。低風量運転温度は、基準温度の例である。
【００７２】
マイクロコンピュータ２１は、送風機５の運転モードを、通常モードまたは風量ダウンモードとして運転する。通常モードは、通常時の運転モードである。風量ダウンモードは、圧縮機温度が低風量運転温度を超えているために送風機５の風量を低下させる運転モードである。マイクロコンピュータ２１は、送風機５の運転モードを、風量ダウンモードフラグＦによって管理する。マイクロコンピュータ２１は、風量ダウンモードフラグＦの値を０として通常モードを表す。マイクロコンピュータ２１は、風量ダウンモードフラグＦの値を１として風量ダウンモードを表す。
【００７３】
マイクロコンピュータ２１は、過電流継続時間が予め定められた時間より長い場合に、圧縮機の運転を停止させる信号を出力する。ここで、過電流継続時間は、電流センサ１５による測定値が予め定められた過電流の基準値を超えている状態の継続時間である。予め定められた時間は、例えば１分である。過電流継続時間は、過電流タイマによって測定される。過電流タイマは、例えばマイクロコンピュータ２１によってカウントされる。マイクロコンピュータ２１は、電流センサ１５による測定値が過電流の基準値を超えるときに過電流タイマのカウントを開始する。
【００７４】
続いて、図６および図７を用いて、圧縮機６ａおよび送風機５の制御に係るマイクロコンピュータ２１の動作を説明する。
図６および図７は、実施の形態１に係るマイクロコンピュータの動作の例を示すフローチャートである。
【００７５】
図６のステップＳ１０１において、マイクロコンピュータ２１は、運転スイッチ２０がＯＮであるかを判定する。判定結果がＮｏの場合に、マイクロコンピュータ２１の動作は、ステップＳ１０２に進む。判定結果がＹｅｓの場合に、マイクロコンピュータ２１の動作は、ステップＳ１０５に進む。
【００７６】
ステップＳ１０２において、マイクロコンピュータ２１は、圧縮機６ａを停止させる信号を圧縮機駆動部２３に出力する。その後、マイクロコンピュータ２１の動作は、ステップＳ１０３に進む。
【００７７】
ステップＳ１０３において、マイクロコンピュータ２１は、送風機５を停止させる信号を送風機駆動部２８に出力する。その後、マイクロコンピュータ２１の動作は、ステップＳ１０４に進む。
【００７８】
ステップＳ１０４において、マイクロコンピュータ２１は、風量ダウンモードフラグＦの値を０に設定する。その後、マイクロコンピュータ２１は、起動停止タイマをクリアする。その後、マイクロコンピュータ２１の動作は、ステップＳ１０１に進む。
【００７９】
ステップＳ１０５において、マイクロコンピュータ２１は、湿度センサ７による測定値が、予め定められた設定湿度の値より高いかを判定する。判定結果がＮｏの場合に、マイクロコンピュータ２１の動作は、ステップＳ１０２に進む。判定結果がＹｅｓの場合に、マイクロコンピュータ２１の動作は、ステップＳ１０６に進む。
【００８０】
ステップＳ１０６において、マイクロコンピュータ２１は、温度センサ１４による圧縮機温度の測定値が、予め定められた低風量運転温度より高いかを判定する。判定結果がＮｏの場合に、マイクロコンピュータ２１の動作は、ステップＳ１０７に進む。判定結果がＹｅｓの場合に、マイクロコンピュータ２１の動作は、図７のステップＳ１１６に進む。
【００８１】
ステップＳ１０７において、マイクロコンピュータ２１は、風量ダウンモードフラグＦの値を０に設定する。その後、マイクロコンピュータ２１の動作は、ステップＳ１０８に進む。
【００８２】
ステップＳ１０８において、マイクロコンピュータ２１は、送風機５の送風量を設定する。その後、マイクロコンピュータ２１は、設定した送風量に従って送風機５を動作させる信号を送風機駆動部２８に出力する。その後、マイクロコンピュータ２１の動作は、ステップＳ１０９に進む。
【００８３】
ステップＳ１０９において、マイクロコンピュータ２１は、除湿機１の起動後に起動停止タイマがカウントされたかを判定する。判定結果がＮｏの場合に、マイクロコンピュータ２１の動作は、ステップＳ１１０に進む。判定結果がＹｅｓの場合に、マイクロコンピュータ２１の動作は、ステップＳ１１１に進む。
【００８４】
ステップＳ１１０において、マイクロコンピュータ２１は、起動停止タイマのカウントを開始する。その後、マイクロコンピュータ２１の動作は、ステップＳ１０１に進む。
【００８５】
ステップＳ１１１において、マイクロコンピュータ２１は、起動停止タイマがカウント中であるかを判定する。判定結果がＹｅｓの場合に、マイクロコンピュータ２１の動作は、ステップＳ１０１に進む。判定結果がＮｏの場合に、マイクロコンピュータ２１の動作は、ステップＳ１１２に進む。
【００８６】
ステップＳ１１２において、マイクロコンピュータ２１は、圧縮機６ａを動作させる信号を出力する。その後、マイクロコンピュータ２１の動作は、ステップＳ１１３に進む。
【００８７】
ステップＳ１１３において、マイクロコンピュータ２１は、過電流継続時間が予め定められた時間より長いかを判定する。判定結果がＮｏの場合に、マイクロコンピュータ２１の動作は、ステップＳ１１４に進む。判定結果がＹｅｓの場合に、マイクロコンピュータ２１の動作は、図７のステップＳ１２１に進む。
【００８８】
ステップＳ１１４において、マイクロコンピュータ２１は、過電流タイマをクリアする。その後、マイクロコンピュータ２１の動作は、ステップＳ１１５に進む。
【００８９】
ステップＳ１１５において、マイクロコンピュータ２１は、圧縮機６ａのモータに電力を供給する配線に電流が流れておらず、かつ、温度センサ１４による圧縮機温度の測定値が停止温度より高いかを判定する。判定結果がＮｏの場合に、マイクロコンピュータ２１の動作は、ステップＳ１０１に進む。判定結果がＹｅｓの場合に、マイクロコンピュータ２１は、異常温度検知回路２９によって圧縮機６ａに供給される電力が遮断されたと判定する。その後、マイクロコンピュータ２１の動作は、図７のステップＳ１２１に進む。
【００９０】
図７のステップＳ１１６において、マイクロコンピュータ２１は、風量ダウンモードフラグＦの値が１であるかを判定する。判定結果がＮｏの場合に、マイクロコンピュータ２１の動作は、ステップＳ１１７に進む。判定結果がＹｅｓの場合に、マイクロコンピュータ２１は、風量ダウンモードの運転が継続していると判定する。その後、マイクロコンピュータ２１の動作は、ステップＳ１１９に進む。
【００９１】
ステップＳ１１７において、マイクロコンピュータ２１は、風量ダウンモードフラグＦの値を１に設定する。その後、マイクロコンピュータ２１は、風量ダウンモードタイマのカウントを開始する。その後、マイクロコンピュータ２１の動作は、ステップＳ１１８に進む。
【００９２】
ステップＳ１１８において、マイクロコンピュータ２１は、送風機５の風量を低下させる信号を出力する。その後、マイクロコンピュータ２１の動作は、図６のステップＳ１１２に進む。
【００９３】
ステップＳ１１９において、マイクロコンピュータ２１は、風量ダウンモードタイマのカウントが予め定められた時間継続しているかを判定する。予め定められた時間は、例えば５分間である。判定結果がＮｏの場合に、マイクロコンピュータ２１の動作は、図６のステップＳ１１２に進む。判定結果がＹｅｓの場合に、マイクロコンピュータ２１の動作は、ステップＳ１２０に進む。
【００９４】
ステップＳ１２０において、マイクロコンピュータ２１は、送風機５が最低風量で運転されているかを判定する。判定結果がＮｏの場合に、マイクロコンピュータ２１の動作は、ステップＳ１１８に進む。判定結果がＹｅｓの場合に、マイクロコンピュータ２１の動作は、ステップＳ１２１に進む。
【００９５】
ステップＳ１２１において、マイクロコンピュータ２１は、圧縮機６ａの過熱異常を表す内容を表示させる信号を表示部１８に出力する。その後、マイクロコンピュータ２１の動作は、ステップＳ１２２に進む。
【００９６】
ステップＳ１２２において、マイクロコンピュータ２１は、圧縮機６ａを停止させる信号を圧縮機駆動部２３に出力する。その後、マイクロコンピュータ２１の動作は、ステップＳ１２３に進む。
【００９７】
ステップＳ１２３において、マイクロコンピュータ２１は、送風機５を停止させる信号を送風機駆動部２８に出力する。その後、マイクロコンピュータ２１の動作は、終了する。
【００９８】
以上に説明したように、実施の形態１に係る除湿機１は、圧縮機６ａと、温度センサ１４と、圧縮機駆動部２３と、マイクロコンピュータ２１と、圧縮機負荷低減部２５と、を備える。圧縮機６ａは、運転速度が一定である。温度センサ１４は、圧縮機６ａの温度を圧縮機温度として検出する。圧縮機駆動部２３は、圧縮機６ａの動作を制御する。マイクロコンピュータ２１は、圧縮機６ａを動作させる信号を圧縮機駆動部２３に出力する。圧縮機温度が予め定められた基準温度を超える場合に、圧縮機負荷低減部２５は、圧縮機６ａの負荷を低減させる信号を出力する。
【００９９】
圧縮機６ａの動作または停止は、マイクロコンピュータ２１から圧縮機駆動部２３に出力される信号によって制御される。圧縮機負荷低減部２５は、温度センサ１４が検知する圧縮機温度に基づいて圧縮機６ａを停止させる。圧縮機負荷低減部２５は、マイクロコンピュータ２１から圧縮機駆動部２３への信号と異なる経路からの信号によって圧縮機６ａの負荷を低減させる。これにより、不可逆な変化によらずに圧縮機の過熱が確実に防がれる。したがって、除湿機の稼動率の低下が抑えられる。
【０１００】
また、除湿機１は、送風機５を備える。送風機５は、風量が可変である。圧縮機負荷低減部２５は、送風機駆動部２８を備える。圧縮機温度が予め定められた低風量運転温度を超える場合に、送風機駆動部２８は、風量を低下させる信号を送風機５に出力することによって圧縮機６ａの負荷を低減させる。
【０１０１】
運転速度が一定の圧縮機６ａは、運転速度を変化させて負荷を低減させることができない。このため、圧縮機６ａの負荷を直接低減させるためには、圧縮機６ａを停止させるほかない。ここで、送風機駆動部２８は、圧縮機６ａに通じて熱交換を行う蒸発器６ｄに通過させる空気の風量を低下させる。これにより、蒸発器６ｄから冷媒に吸収される熱量が少なくなる。ここで、冷媒に吸収される熱量は、空気の顕熱および水の凝縮熱による熱量を含む。圧縮機６ａに熱交換によって運ばれる熱量が減ることで、圧縮機６ａの負荷が間接的に低減させられる。したがって、送風機駆動部２８は、除湿機１を運転しながら、運転速度が一定の圧縮機６ａの負荷を低減させられる。圧縮機６ａの負荷の低減によって、圧縮機６ａに供給される電流値が下がる。これにより、送風機駆動部２８は、圧縮機６ａの温度を下げられる。
【０１０２】
また、送風機５は、送風機駆動部２８から出力される信号によって予め定められた時間予め定められた最低風量で運転される。送風機５の当該運転の後に圧縮機温度が低風量運転温度を超えている場合に、マイクロコンピュータ２１は、圧縮機６ａを停止させる信号を圧縮機駆動部２３に出力する。
【０１０３】
ロックなどの要因によって圧縮機６ａが発熱している場合、圧縮機６ａの負荷を間接的に低減させても温度が下がらない場合がある。このような場合に、マイクロコンピュータ２１は、圧縮機６ａを停止させることによって過熱による圧縮機６ａの破損を抑える。
【０１０４】
また、圧縮機負荷低減部２５は、異常温度検知回路２９を備える。圧縮機温度が予め定められた停止温度を超える場合に、異常温度検知回路２９は、マイクロコンピュータ２１から圧縮機駆動部２３に出力される信号を遮断して圧縮機６ａを停止させることによって圧縮機６ａの負荷を低減させる。
【０１０５】
マイクロコンピュータ２１のソフトウェアおよび異常温度検知回路２９のハードウェアの各々の異なる経路からの信号によって圧縮機６ａは停止させられる。圧縮機６ａを停止させる装置が多様性を持つことで、圧縮機６ａの過熱はより確実に防がれる。例えば、マイクロコンピュータ２１が暴走した場合においても、圧縮機６ａの過熱は異常温度検知回路２９によって防がれる。
【０１０６】
また、圧縮機負荷低減部２５は、送風機駆動部２８および異常温度検知回路２９の両方を備える。圧縮機温度が低風量運転温度を超える場合に、送風機駆動部２８は、圧縮機６ａの負荷を間接的に低減させる。圧縮機６ａの負荷が間接的に低減されてもなお圧縮機温度が停止温度を超える場合に、異常温度検知回路２９は、圧縮機６ａを停止する。これにより、圧縮機負荷低減部２５は、除湿機１の稼動率の低下を抑えつつ、圧縮機６ａの過熱をより確実に防ぐことができる。ここで、停止温度は低風量運転温度より高く設定される。すなわち、圧縮機負荷低減部２５は、圧縮機６ａを強制的に停止させる前に、段階的に負荷を低減することで圧縮機６ａの過熱を防ぐことができる。
【０１０７】
また、圧縮機駆動部２３は、リレーＸ１と、トランジスタＱ１と、を備える。リレーＸ１は、圧縮機６ａに電力を供給する回路を開閉する。リレーＸ１は、ノーマルオープンである。トランジスタＱ１は、リレーＸ１の入力端子に接続する。マイクロコンピュータ２１は、圧縮機６ａを動作させる信号としてトランジスタＱ１にリレーＸ１を閉にする信号を出力する。圧縮機温度が停止温度を超える場合に、異常温度検知回路２９は、トランジスタＱ１にリレーＸ１を開にする信号を出力することで圧縮機６ａを停止させる。これにより、簡単な構成によって圧縮機６ａの過熱が確実に防がれる。
【０１０８】
また、温度センサ１４は、温度に応じて抵抗値が変化する素子を備える。異常温度検知回路２９は、当該素子の抵抗値の変化により変動する電圧と、分圧抵抗で生成した電圧と、を比較する第１コンパレータ３２を備える。ここで、分圧抵抗で生成した電圧は、停止温度に対応する。すなわち、停止温度は、分圧抵抗によって設定される。これにより、異常温度検知回路２９は、簡単な構成で圧縮機６ａの過熱異常を検知できる。
【０１０９】
また、温度センサ１４の温度に応じて抵抗値が変化する素子は、第１コンパレータ３２の反転入力端子に接続される。温度センサ１４は、マイクロコンピュータ２１のＡＤ変換入力ピンにも接続される。第１コンパレータ３２は、ディファレンシャルを設定するために、出力を非反転入力（＋）側に帰還している。このため、非反転入力（＋）側の電圧は、圧縮機温度が停止温度をまたいで変わるときに変化する。一方、温度センサ１４は反転入力（−）に接続されるので、第１コンパレータ３２の出力の帰還によって出力電圧が変化しない。このため、マイクロコンピュータ２１に入力される温度センサ１４の信号が第１コンパレータ３２の出力の帰還によって変化することが回避される。
【０１１０】
また、除湿機１は、電流センサ１５と、表示部１８と、を備える。電流センサ１５は、圧縮機６ａに電力を供給する回路の電流を検知する。電流センサ１５が電流を検知せず、かつ、圧縮機温度が停止温度を超えている場合に、表示部１８は、圧縮機６ａの過熱異常を表す内容を表示する。これにより、マイクロコンピュータ２１によらずに異常温度検知回路２９によって圧縮機６ａが停止した場合にも、利用者は表示部１８の表示によって除湿機１の状態を正確に知ることができる。
【０１１１】
また、除湿機１は、電流センサ１５を備える。電流センサ１５は、圧縮機６ａに電力を供給する回路の電流を検知する。電流センサ１５に検知される電流が予め定められた電流値より大きい状態が予め定められた時間継続する場合に、マイクロコンピュータ２１は、圧縮機６ａを停止させる信号を圧縮機駆動部２３に出力する。これにより、圧縮機６ａの保護機能が強化される。
【０１１２】
続いて、図８を用いて、実施の形態１の変形例に係る除湿機１の回路の構成を説明する。
図８は、実施の形態１の変形例に係る除湿機の構成の例を表す回路図である。
【０１１３】
送風機５のモータは、強または弱に切り替わる速調機能を備えるインダクションモータである。
【０１１４】
送風機駆動部２８は、リレーＸ２と、リレーＸ３と、トランジスタＱ２と、トランジスタＱ３と、を備える。リレーＸ２は、ノーマルオープンである。リレーＸ２は、送風機５に電源２７から電力を供給する回路を開閉しうるように構成される。リレーＸ３は、ｃ接点構成である。すなわち、リレーＸ３は、ノーマルオープンおよびノーマルクローズの両方の接点を持つ。リレーＸ３は、送風機５のモータの速調機能を切替えうるように構成される。トランジスタＱ２およびトランジスタＱ３の各々は、例えば抵抗内蔵型のＮＰＮトランジスタである。トランジスタＱ２のコレクタは、リレーＸ２の操作コイルに接続される。トランジスタＱ２のベースは、マイクロコンピュータ２１の出力ピンＰ１に接続される。トランジスタＱ３のコレクタは、リレーＸ３の操作コイルに接続される。トランジスタＱ３のベースは、マイクロコンピュータ２１の出力ピンＰ３に接続される。
【０１１５】
マイクロコンピュータ２１のピンＰ１の出力がＨレベルのときに、トランジスタＱ２のベースに信号が入力される。このとき、トランジスタＱ２がＯＮ状態になることで、リレーＸ２の操作コイルが通電される。リレーＸ２は、送風機５に電源２７から電力を供給する回路の接点を閉じる。これにより、送風機５は、強または弱の一方の速度で運転する。
【０１１６】
マイクロコンピュータ２１のピンＰ３の出力がＨレベルのときに、トランジスタＱ３のベースに信号が入力される。このとき、トランジスタＱ３がＯＮ状態になることで、リレーＸ３の操作コイルが通電される。リレーＸ３は、送風機５のモータの速調機能を切替える。
【０１１７】
以上に説明したように、送風機駆動部２８は、簡単な構成によって送風機５の風量を低下することで圧縮機６ａの負荷を低減できる。
【０１１８】
実施の形態２．
実施の形態２では、実施の形態１で開示された例と相違する点について詳しく説明する。実施の形態２で説明しない特徴については、実施の形態１で開示された例のいずれの特徴が採用されてもよい。
【０１１９】
図９を用いて、実施の形態２に係る除湿機１の回路の構成を説明する。
図９は、実施の形態２に係る除湿機の構成の例を表す回路図である。
【０１２０】
圧縮機駆動部２３は、リレーＸ１と、第１トランジスタＱ４と、第２トランジスタＱ５と、を備える。リレーＸ１は、ノーマルオープンである。リレーＸ１は、圧縮機６ａに電源２７から電力を供給する回路を開閉しうるように構成される。第１トランジスタＱ４は、例えば抵抗内蔵型のＰＮＰトランジスタである。第２トランジスタＱ５は、例えば抵抗内蔵型のＮＰＮトランジスタである。第１トランジスタＱ４のベースは、マイクロコンピュータ２１の出力ピンＰ２に接続される。第２トランジスタＱ５のベースは、異常温度検知回路２９の出力端子に接続される。第１トランジスタＱ４のコレクタは、リレーＸ１の操作コイルの他方に接続される。第２トランジスタＱ５のコレクタは、リレーＸ１の操作コイルの一方に接続される。すなわち、第１トランジスタＱ４、第２トランジスタＱ５およびリレーＸ１の操作コイルは、直列に接続される。
【０１２１】
マイクロコンピュータ２１のピンＰ２の出力がＬレベルのときに、第１トランジスタＱ４のベースに信号が入力される。温度センサ１４に検出される圧縮機温度が停止温度を超えていないときに、異常温度検知回路２９は第２トランジスタＱ５のベースにＨレベルの信号を出力する。このとき、第２トランジスタＱ５および第１トランジスタＱ４の両方がＯＮ状態になることで、リレーＸ１の操作コイルが通電される。リレーＸ１は、圧縮機６ａに電源２７から電力を供給する回路の接点を閉じる。これにより、圧縮機６ａは、一定の速度で運転する。
【０１２２】
温度センサ１４に検出される圧縮機温度が停止温度を超えるときに、異常温度検知回路２９は出力端子にＬレベルの信号を出力する。このとき、第２トランジスタＱ５がＯＦＦ状態になることで、第１トランジスタＱ４の状態にかかわらず、リレーＸ１の操作コイルが不通電となる。これにより、マイクロコンピュータ２１から圧縮機駆動部２３に出力される信号が遮断されることで、圧縮機６ａは、停止する。
【０１２３】
以上に説明したように、実施の形態１に係る圧縮機駆動部２３は、リレーＸ１と、第１トランジスタＱ４と、第２トランジスタＱ５と、を備える。リレーＸ１は、圧縮機６ａに電力を供給する回路を開閉する。リレーＸ１は、ノーマルオープンである。第１トランジスタＱ４は、リレーＸ１の入力端子に接続する。第２トランジスタＱ５は、リレーＸ１の入力端子に接続する。リレーＸ１の入力端子、第１トランジスタＱ４および第２トランジスタＱ５は直列に接続される。マイクロコンピュータ２１は、圧縮機６ａを動作させる信号として第１トランジスタＱ４にリレーＸ１を閉にする信号を出力する。異常温度検知回路２９は、圧縮機温度が停止温度を超える場合に、第２トランジスタＱ５にリレーＸ１を開にする信号を出力することで圧縮機６ａを停止させる。
【０１２４】
これにより、簡単な構成によって圧縮機６ａの過熱が確実に防がれる。第１トランジスタＱ４および第２トランジスタＱ５の少なくとも一方がＯＦＦ状態であれば、圧縮機６ａは停止する。このため、第１トランジスタＱ４および第２トランジスタＱ５のいずれかが故障した場合においても、圧縮機駆動部２３は、圧縮機６ａを停止できる。
【符号の説明】
【０１２５】
１  除湿機、  ２  中央筐体、  ３  前方筐体、  ４  後方筐体、  ５  送風機、  ６  除湿装置、  ６ａ  圧縮機、  ６ｂ  凝縮器、  ６ｃ  減圧装置、  ６ｄ  蒸発器、  ７  湿度センサ、  ８  吐出口ルーバ駆動モータ、  ９  表示操作パネル、  １０  貯水タンク、  １１  制御装置、  １２  吐出口、  １３  吸込口、  １４  温度センサ、  １５  電流センサ、  １６  信号配線、  １７  電源配線、  １８  表示部、  １９  操作部、  ２０  運転スイッチ、  ２１  マイクロコンピュータ、  ２１ａ  プロセッサ、  ２１ｂ  メモリ、  ２２  電源回路、  ２３  圧縮機駆動部、  ２４  ルーバ駆動部、  ２５  圧縮機負荷低減部、  ２６  電源プラグ、  ２７  電源、  ２８  送風機駆動部、  ２９  異常温度検知回路、  ３０  比較部、  ３１  変換部、  ３２  第１コンパレータ、  ３３  第２コンパレータ
【図１】
2019195747.tif 000003
【図２】
2019195747.tif 000004
【図３】
2019195747.tif 000005
【図４】
2019195747.tif 000006
【図５】
2019195747.tif 000007
【図６】
2019195747.tif 000008
【図７】
2019195747.tif 000009
【図８】
2019195747.tif 000010
【図９】
2019195747.tif 000011